(57)【要約】      （修正有）【課題】検知用部材を扉の開閉検知に望ましい位置に固定し、且つ、前記検知用部材を検知する扉開閉検知センサ及びその取り付け部がユニットの引き出しを妨害しない画像形成装置を実現すること。【解決手段】装置内に格納されているユニットを、装置の扉１１０，１１１を開き装置外に引き出す機構を有する画像形成装置Ｇにおいて、前記扉に固定された検知用部材B1, B2と、前記検知用部材を検知する扉開閉検知センサと、前記扉開閉検知センサを保持し、一端に回転軸を有する保持部材130とを有することを特徴とする画像形成装置。【選択図】図５
2009003234.tif 000002
【特許請求の範囲】
【請求項１】
装置内に格納されているユニットを、装置の扉を開き装置外に引き出す機構を有する画像形成装置において、
前記扉に固定された検知用部材と、
前記検知用部材を検知する扉開閉検知センサと、
前記扉開閉検知センサを保持し、一端に回転軸を有する保持部材と
を有することを特徴とする画像形成装置。
【請求項２】
前記保持部材は、前記扉と前記ユニットの間に配置されていることを特徴とする請求項１に記載の画像形成装置。
【請求項３】
前記扉開閉検知センサに接続される信号線は、前記回転軸から前記扉開閉検知センサに向けて配線されていることを特徴とする請求項１又は２に記載の画像形成装置。
【請求項４】
前記保持部材は、前記ユニットに空気を送る送風手段を保持していることを特徴とする請求項１〜３のいずれか１項に記載の画像形成装置。
【発明の詳細な説明】
【技術分野】
【０００１】
本発明は、装置内に格納されているユニットを装置の扉を開いて装置外に引き出す機構を有する画像形成装置に関する。
【背景技術】
【０００２】
一般に、複写機、ファクシミリ、プリンタ、又はそれらの機能を併せ持つ複合機等の画像形成装置においては、装置を構成する各種技術手段はユニット化されて、筐体内の所定位置に格納されている。
【０００３】
なお、複数の各種技術手段をどの様にまとめて１つのユニットとするかは、画像形成装置の設計段階で決定されるものである。
【０００４】
装置内部の所定の位置に格納されている各ユニットは、保守点検作業における作業性の向上や安全性を確保する為に、必要に応じ、外装の一部である扉を開けて、装置外に引き出すことができるように構成されたものが多い。
【０００５】
一旦装置外に引き出されたユニットは、必要な対応作業が終了次第、元の所定位置に正しく再格納される必要がある。
【０００６】
この再格納作業を確実にするために、再格納されたユニットを、扉に設けた部材によって扉を閉めるときに前記ユニットを所定位置に押し込むという提案もある（例えば、特許文献１参照。）。
【０００７】
即ち、扉が確実に閉められていれば、ユニットが所定位置に正しく収められているように構成するものである。
【０００８】
このような例に限らず、画像形成装置には、扉の開閉状態を正確に検知する必要があることから、扉開閉状態検知手段が設けられいる。
【０００９】
この扉開閉状態検知手段による扉の開閉検知により、扉が開いている状態での作業の安全性を高めることができ、また、確実な閉状態が確認された場合のみ、画像形成動作を実行させるようにすることができる。
【００１０】
前記扉開閉状態検知手段は、開閉される扉に取り付けられた検知用部材と、装置の本体側に固定される前記検知用部材を検知する扉開閉検知センサとから構成される。
【００１１】
通常、前記検知用部材は、扉が１枚の場合には、扉の回転軸と反対側の辺の近傍に固定され、即ち、開閉する扉の先端部に固定され、装置の本体側に設けられた前記扉開閉検知センサによって検知される。
【００１２】
しかしながら、画像形成装置によっては、特に大型の画像形成装置の場合には、１枚の扉を開くだけでは、ユニットを引き出すために必要な開口部を作り出すことが困難な場合もある。このような状況への対応として、両開きの２枚の扉が設けられる。
【００１３】
このような両開きの扉の開閉状態を検知するための検知用部材を、前述したような１枚扉の場合と同様に開閉する扉の先端部に設けると、この検知用部材を検知するために本体側に設けられる扉開閉検知センサの取り付け位置は、必然的にユニットを引き出す開口部となる。
【００１４】
従って、扉開閉検知センサは、ユニットを引き出す前に、予め取りはずすことができるように構成されなければならない。
【００１５】
このような構成は、作業性の悪いものであり、また、コネクタ等の電気的接続部品の取り外しに伴う信頼性の低下も懸念されるものである。
【００１６】
一方、扉開閉検知センサの取り付け位置が開口部に位置しないように、検知用部材を扉の上辺部又は下辺部に設けることも考えられる。
【００１７】
ところが、扉にはたわみが生ずることから、扉の開閉状態を正確に検知するためには、検知用部材は扉の上辺部及び下辺部の両方に設ける必要があり、結果として、装置のコストアップを招いてしまう。
【特許文献１】特開２００３−３１６２３１号公報
【発明の開示】
【発明が解決しようとする課題】
【００１８】
本発明は、上述したような状況に鑑みてなされたもので、その目的は、検知用部材を扉の開閉検知に望ましい位置に固定し、且つ、前記検知用部材を検知する扉開閉検知センサ及びその取り付け部がユニットの引き出しを妨害しない画像形成装置を実現することにある。
【課題を解決するための手段】
【００１９】
上記課題は、以下の発明を実現することにより達成される。
１．装置内に格納されているユニットを、装置の扉を開き装置外に引き出す機構を有する画像形成装置において、
前記扉に固定された検知用部材と、
前記検知用部材を検知する扉開閉検知センサと、
前記扉開閉検知センサを保持し、一端に回転軸を有する保持部材と
を有することを特徴とする画像形成装置。
２．前記保持部材は、前記扉と前記ユニットの間に配置されていることを特徴とする１項に記載の画像形成装置。
３．前記扉開閉検知センサに接続される信号線は、前記回転軸から前記扉開閉検知センサに向けて配線されていることを特徴とする１又は２項に記載の画像形成装置。
４．前記保持部材は、前記ユニットに空気を送る送風手段を保持していることを特徴とする１〜３項のいずれか１項に記載の画像形成装置。
【発明の効果】
【００２０】
本発明により、検知用部材を扉の開閉検知に望ましい位置に固定することが可能となり、且つ、前記検知用部材を検知する扉開閉検知センサ及びその取り付け部をユニットの引き出しのための開口部から取り外す作業が省略される。
【００２１】
その結果、画像形成装置の保守点検作業における作業性と信頼性が向上する。また、コネクタの抜き差しも必要としないことから、接触不良等の電気的な不都合の発生が防止される。
【発明を実施するための最良の形態】
【００２２】
以下、本発明の実施の形態の例を図を基に説明する。
【００２３】
図１は、画像形成装置Ｇの構成を説明する概念図である。
【００２４】
図に示す画像形成装置Ｇは、電子写真技術によるデジタル式のカラー画像形成装置であり、上部に自動原稿送り装置ＡＤＦを備えている。
【００２５】
画像形成装置Ｇの本体は、読取部１０、画像形成部２０、中間転写部３０、転写部４０、
定着部５０、用紙反転部６０、再給紙部７０、給紙部８０、用紙搬送部９０、制御手段Ｃ等から構成される。なお、これらは全て公知の技術から構成される。
【００２６】
自動原稿送り装置ＡＤＦは、原稿載置台に載置された原稿ｄを１枚ずつ矢印ａの方向に送り出し、搬送ローラＲによって搬送し、矢印ｂの方向に送り出す。
【００２７】
原稿ｄの裏面も読み取る場合には、矢印ｃで示すように原稿ｄを逆送することにより反転させて再度搬送ローラＲに送る。
【００２８】
自動原稿送り装置ＡＤＦにより搬送される原稿ｄの画像は、読み取り位置ＲＰにて読み取り部１０にて読み取られる。
【００２９】
読取部１０は、照明手段１１、ミラーユニット１２、レンズユニット１３、撮像素子１４等から構成される。
【００３０】
照明手段１１から出射して原稿ｄの画像面で反射した光は、複数のミラーからなるミラーユニット１２とレンズユニット１３によって、撮像素子１４に結像するように導かれる。なお、撮像素子１４としては、例えばＣＣＤが採用される。
【００３１】
撮像素子１４は、結像された像を光電変換して得た信号を制御手段Ｃに送る。制御手段Ｃは、逐次送られる信号を基にシェーディング補正等の画像処理を施し、１頁毎の画像を形成して、メモリ内の所定の画像ファイルに格納する。
【００３２】
画像形成部２０はユニット化されており、図の点線で示す範囲が一体となっている。内部には、各色に対応して２０Ｋ、２０Ｙ、２０Ｍ、２０Ｃの各色毎の画像形成部が収められている。
【００３３】
以下の説明は各色について共通のものであることから、色に関する符号を除いてある。
【００３４】
画像形成部２０は、感光体２１、帯電手段２２、露光手段２３、現像手段２４、クリーニング手段２５等から構成される。
【００３５】
帯電手段２２は感光体２１の表面を一様に帯電させ、一様に帯電した前記感光体２１の表面には、出力する画像に対応する露光が露光手段２３により行われ、潜像が形成される。
【００３６】
なお、本実施の形態の露光手段２３はＬＥＤアレイを用いたものであるが、レーザを用いるものでもよい。
【００３７】
感光体２１に形成された潜像は、現像手段２４によって現像され、感光体上にトナー像が形成される。
【００３８】
形成された前記トナー像は、中間転写部３０の第１転写ローラ３２の作用により、中間転写ベルト３１に転写され、転写後に残った感光体上の転写残トナーはクリーニング手段２５によって感光体２１から除去される。
【００３９】
中間転写ベルト３１に転写されたトナー画像は、第２転写ローラ４１の作用により、給紙部８０又は再給紙部７０から送られた用紙Ｐに転写される。
【００４０】
なお、中間転写部３０は、図中に示す点線の範囲がユニット化されており、スライドレール等を使用した引き出し機構によって、一体として装置外に引き出すことができる。
【００４１】
転写されたトナー画像を有する用紙Ｐは、定着手段５０に送られ、前記トナー画像は用紙Ｐに定着される。
【００４２】
以上の各工程と技術手段は、全て公知の電子写真技術に基づくものである。
【００４３】
図２は、画像形成装置の制御関係を示すブロック図である。
【００４４】
制御手段Ｃは、ＣＰＵ、メモリ、演算ユニット、入出力インターフェイス、通信用インターフェイス、駆動用回路を有するコンピュータシステムであり、各制御はメモリに格納されている所定のプログラムを実行させることにより行われる。
【００４５】
なお、本ブロック図では、本発明の説明に直接関係しないブロックの記載が省略されている。
【００４６】
図３は、自動原稿送り装置ＡＤＦを取り外した、画像形成装置Ｇ本体の外観図である。
【００４７】
画像形成装置Ｇの前面部には、２枚の扉からなり両開きできる前扉１１０、１１１、用紙Ｐを装填する際に手前に引き出される用紙トレイの前面パネル１２０、１２１、１２２等が設けられている。
【００４８】
ユニット化されている画像形成部２０又は中間転写部３０は、必要に応じ、前扉１１０、１１１を左右に開き、手前に引き出すことができる。
【００４９】
図４は、中間転写部３０を引き出した状態を示す図である。
【００５０】
図に示すように、ユニットを引き出すためには、ユニットのサイズに対応した充分な開口部が作られ、且つ、ユニットの引き出しに際しての障害となる部材等が開口部に存在しないように作られる必要がある。
【００５１】
このような位置に設けられる前扉は、開閉の操作性、開時の扉が占有する領域、扉のたわみ、扉の支持方法、扉を開いた時の占有空間の大きさ等を考慮すると、１枚の大サイズの扉とすることには問題が多いことから、２枚の扉で構成される。
【００５２】
前記前扉には、扉の開閉状態を正確に検知する扉開閉状態検知手段が設けられおり、扉が開いている状態が確認された場合には、所定の手段への通電を遮断して、ユーザによる作業の安全性を確保する。
【００５３】
また、装置の作動開始に際しては、扉が正しく閉じられた状態にあるか否かを確認して装置の作動の確実性と安全性を確保している。
【００５４】
前記扉開閉状態検知手段は、開閉される扉に取り付けられた検知用部材Ｂ１、Ｂ２と、装置の本体側に固定され前記検知用部材を検知する扉開閉検知センサとから構成される。
【００５５】
既に述べたように、通常、前記検知用部材は、扉が１枚の場合には、扉の回転軸と反対側の辺の近傍に固定され、即ち、開閉する扉の先端部に固定され、本体側に設けられた前記扉開閉検知センサによって検知される。
【００５６】
しかしながら、２枚の両開きの扉の開閉状態を検知するための検知用部材を、前述したような１枚扉の場合と同様に開閉する扉の先端部に設けると、この検知用部材を検知するために本体側に設けられる扉開閉検知センサの取り付け位置は、必然的にユニットを引き出す開口部となる。
【００５７】
従って、ユニットを引き出す際には、障害となる扉開閉検知センサを予め取りはずすことができるように構成することが必要になる。
【００５８】
このような構成は、作業性の悪いものであり、また、コネクタ等の電気的接続部品の取り外しに伴う信頼性の低下も懸念されるものである。
【００５９】
扉開閉検知センサの取り付け位置が開口部に位置しないように、図４の点線で示すように検知用部材を扉の上辺部又は下辺部に設けることも考えられる。
【００６０】
ところが、扉にはたわみが生ずることから、扉の開閉状態を正確に検知するためには、検知用部材は扉の上辺部及び下辺部の両方に設ける必要があり、結果として、装置のコストアップを招いてしまう。
【００６１】
図５は、保持部材１３０を有する画像形成装置本体の外観図である。また、図６は、前扉１１０、１１１と保持部材１３０の配置関係を示す概念図である。
【００６２】
図５及び図６に示すように、保持部材１３０は、前扉１１０、１１１の後部に設けられており、図５における右端が回転可能に支持されている。
【００６３】
また、前扉１１０、１１１および保持部材１３０には、閉状態を維持するための公知の技術手段であるラッチ手段（不図示）が設けられている。
【００６４】
前扉１１０、１１１には、凸状の部材である検知用部材Ｂ１、Ｂ２が取り付けられている。
【００６５】
また、保持部材１３０には前扉１１０、１１１が閉じられた時に、前扉に取り付けられている検知用部材Ｂ１、Ｂ２が入り込む孔１３１、１３２があけられており、孔の横には孔から進入した前記検知用部材Ｂ１、Ｂ２を検出する扉開閉検知検知センサＳ１、Ｓ２が取り付けられている。
【００６６】
前記扉開閉検知センサＳ１、Ｓ２としては、マイクロスイッチのような機械的スイッチ以外に光学センサ、磁気センサを採用することができる。
【００６７】
本発明の実施の形態においては、前記保持部材１３０は、扉開閉検知センサＳ１、Ｓ２以外に、ユニット化されている画像形成部２０及び中間転写部３０に換気窓１３４から取り入れた空気を送り冷却する送風手段Ｗを保持している。
【００６８】
即ち、このような保持部材１３０によって、必要に応じ、ユニット引き出し時に開口部となる場所にも、各種手段、部品、部材を配置することができる。
【００６９】
また、保持部材１３０に保持されている手段、部品、部材に取り付けられている電気部品、電子部品に接続される、信号線や電力供給線Ｌは、図６の点線にて示すように、回転軸の周辺部でまとめられ、保持部材１３０の内部、又は外面に、回転軸１３３から各手段、部品、部材に向けて、配線されている。
【００７０】
従って、前記保持部材１３０を設けても、ユニットの引き出しに際して、開口部に配置されている手段、部品、部材に接続される配線を取り外す必要がなくなり、単に保持部材１３０を開状態にすることにより、ユニットを引き出すことが可能になる。
【００７１】
以上説明したように、このように、検知用部材を扉の開閉検知に望ましい位置に固定することが可能となり、且つ、前記検知用部材を検知する扉開閉検知センサ及びその取り付け部をユニットの引き出しのための開口部から取り外す作業が省略される。
【００７２】
さらに、コネクタの抜き差しも必要としないことから、接触不良等の電気的な不都合の発生が防止される。
【００７３】
その結果、画像形成装置の保守点検作業における作業性と信頼性が向上する。
【００７４】
また、必要に応じ、ユニット引き出し時に開口部となる場所にも、各種手段、部品、部材を配置することができるので、設計上の自由度が向上する。
【図面の簡単な説明】
【００７５】
【図１】画像形成装置の構成を説明する概念図である。
【図２】画像形成装置の制御関係を示すブロック図である。
【図３】画像形成装置本体の外観図である。
【図４】中間転写部を引き出した状態を示す図である。
【図５】保持部材を有する画像形成装置本体の外観図である。
【図６】前扉と保持部材の配置関係を示す概念図である。
【符号の説明】
【００７６】
１１０、１１１  前扉（扉）
１３０  保持部材
Ｂ１、Ｂ２  検知用部材
Ｓ１、Ｓ２  扉開閉検知センサ
Ｇ  画像形成装置
Ｗ  送風手段
【図１】
2009003234.tif 000003
【図２】
2009003234.tif 000004
【図３】
2009003234.tif 000005
【図４】
2009003234.tif 000006
【図５】
2009003234.tif 000007
【図６】
2009003234.tif 000008